(57)【要約】【課題】下部容器の後部と上部容器の後部との間をパッキンを用いずに冷気シールできるようにする。【解決手段】野菜室に出し入れ可能に収容される下部容器３１の後上部のフランジ部３６に上向きリブ３７を一体に設け、下部容器３１の上部に後方へスライド可能に設けられた上部容器３２の後下部に下向きリブ４２を一体に設け、上向きリブ３７に対して下向きリブ４２の下部をラップさせることにより、下部容器３１と上部容器３２との間の冷気シール構造とする。これにより、別部材のパッキンを用いることなく冷気シールすることができ、コストを低減できると共に製造性も向上できる。【選択図】  図１
2004353886.tif 000002
【特許請求の範囲】
【請求項１】
野菜室内に出し入れ可能に収容される下部容器と、
この下部容器の上部に後方へスライド可能に支持された上部容器とを備えた冷蔵庫において、
前記下部容器の後上部に、当該下部容器の幅方向に沿って延びると共に上方へ向けて突出する上向きリブを一体に設け、
前記上部容器の後下部に、前記上向きリブと同方向へ延びると共にその上向きリブに対して少なくとも一部がラップするように下方へ向けて突出する下向きリブを一体に設けたことを特徴とする冷蔵庫。
【発明の詳細な説明】
【０００１】
【発明の属する技術分野】
本発明は、野菜室内に出し入れ可能に収容される下部容器の上部に、上部容器を後方へスライド可能に設けた構成の冷蔵庫に関する。
【０００２】
【従来の技術】
従来より家庭用の冷蔵庫においては、野菜室内に出し入れ可能に収容される下部容器の上部に、上部容器を前後方向へスライド可能に設けた構成のものがある。
図６には、このような構成のものの従来の一例を示している。この図６は、下部容器１の上部に上部容器２を載せた状態での縦断側面図を示している。上部容器２は、下部容器１の上部の後寄り（図６では右寄り）に配置され、幅方向の両側部における上部の張出し部（図示せず）が、下部容器１の幅方向の両側部における上縁部にスライド可能に支持されている。下部容器１の後部壁１ａにおける上部のフランジ部３は、上部容器２の後方へのスライドを可能にするために、上部容器２の底部２ａよりも下方に形成されている。
【０００３】
このような構成のものでは、下部容器１内に対して貯蔵物を出し入れする際には、上部容器２を、図６に示すセット位置から後方（矢印Ａ１方向）へスライドさせて、下部容器１の上面開口部を大きく開けた状態で行い、その出し入れが済んだら、上部容器２を下部容器１に対して前方へスライドさせ、図６の状態に戻す。
【０００４】
そして、下部容器１の後上部のフランジ部３には、図７に示すように、薄肉なひれ部４ａを有するパッキン４が取り付けられていて、上部容器２を前方のセット位置に移動させた状態で、上部容器２の後下部に下向きに突設された下向きリブ５がそのひれ部４ａに接触することで、下部容器１の後部と上部容器２の後部との間の隙間６をシールする構成となっている。このシール構造により、その隙間６から下部容器１内へ冷気が流入することを抑制して、下部容器１内に貯蔵された野菜などの貯蔵物の水分が蒸発することを抑えるようにしている。
【０００５】
【発明が解決しようとする課題】
しかしながら、上記した従来構成のものでは、下部容器１の後部と上部容器２の後部との間の冷気シールをするために、パッキン４を別途必要としているため、その分コストが高くなる。しかも、そのパッキン４を下部容器１に対して組み付ける工数も必要となり、コストが一層高くなる。また、パッキン４は、通常、軟質エラストマーにより製造されていて、特に薄肉なひれ部４ａは、波打ち状に変形し易く、シール性が低下しやすくなる。
【０００６】
本発明は上記事情に鑑みてなされたものであり、その目的は、下部容器の後部と上部容器の後部との間の冷気シールを、パッキンを用いずに行うことができ、コストを低減できると共に製造性も向上でき、さらには設定されたシール性の低下も防止できる冷蔵庫を提供するにある。
【０００７】
【課題を解決するための手段】
上記した目的を達成するために、本発明は、野菜室内に出し入れ可能に収容される下部容器と、この下部容器の上部に前後方向へスライド可能に支持された上部容器とを備えた冷蔵庫において、前記下部容器の後上部に、当該下部容器の幅方向に沿って延びると共に上方へ向けて突出する上向きリブを一体に設け、前記上部容器の後下部に、前記上向きリブと同方向へ延びると共にその上向きリブに対して少なくとも一部がラップするように下方へ向けて突出する下向きリブを一体に設けたことを特徴とする。
【０００８】
上記した手段においては、下部容器の後上部に一体に設けた上向きリブと、上部容器の後下部に一体に設けた下向きリブとをラップさせることにより、これら下部容器の後部と上部容器の後部との間の隙間が屈曲した形態となり、これにより、パッキンを用いずに、冷気シール構造とすることができる。従って、パッキンを別途必要としていた従来構成に比べて、コストを低減できると共に製造性も向上できる。また、それら上向きリブ及び下向きリブは、下部容器及び上部容器に一体に設けるものであるから、パッキンのひれ部とは違い、変形し難く、よって設定されたシール性が低下することも防止できる。
【０００９】
【発明の実施の形態】
以下、本発明の一実施例について図１〜図５を参照して説明する。
まず、図５は、冷蔵庫全体の構成を概略的に示す縦断側面図である。この図５において、冷蔵庫本体１１は、前面が開口した縦長矩形箱状の断熱箱体１２内に、上段から順に、冷蔵室１３、野菜室１４、切替室１５、冷凍室１６を形成すると共に、図示はしないが、切替室１５に並んで製氷室を形成して構成されている。このうち、冷蔵室１３の前面には、ヒンジ回動式の冷蔵室扉１３ａが設けられ、野菜室１４、切替室１５、冷凍室１６の前面には、それぞれ引出し式の野菜室扉１４ａ、切替室扉１５ａ、冷凍室扉１６ａが設けられ、製氷室の前面にも、図示はしないが引出し式の製氷室扉が設けられている。
【００１０】
冷蔵室１３と野菜室１４との間は、仕切板１７により上下に仕切られている。野菜室１４と、これの下方の切替室１５及び図示しない製氷室との間は、断熱箱体１２に一体に設けられた断熱仕切壁１８により上下に仕切られている。また、切替室１５及び製氷室と、これらの下方の冷凍室１６との間は、断熱仕切壁１９により上下に仕切られ、切替室１５と製氷室との間も、図示しない断熱仕切壁により左右に仕切られている。
【００１１】
野菜室１４の背面部には冷蔵室用蒸発器室２０が形成されていて、この冷蔵室用蒸発器室２０内に、冷蔵室用蒸発器２１、冷蔵室用送風ファン２２、及び除霜ヒータ２３が配設されている。その冷蔵室用送風ファン２２が駆動されると、冷蔵室用蒸発器２１により冷却された冷気が、図５の矢印で示すように、冷蔵室１３及び野菜室１４に供給された後、冷蔵室用蒸発器室２０の下部に戻されるというように循環され、これにより冷蔵室１３及び野菜室１４が冷却されるようになっている。
【００１２】
また、切替室１５、図示しない製氷室、及び冷凍室１６の背面部には、冷凍室用蒸発器室２４が形成されていて、この冷凍室用蒸発器室２４内に、冷凍室用蒸発器２５、冷凍室用送風ファン２６、及び除霜ヒータ２７が配設されている。その冷凍室用送風ファン２６が駆動されると、冷凍室用蒸発器２５により冷却された冷気が、図５の矢印で示すように、切替室１５、冷凍室１６、及び製氷室に供給された後、冷凍室用蒸発器室２４の下部に戻されるというように循環され、これにより切替室１５、冷凍室１６、及び製氷室が冷却されるようになっている。なお、切替室１５の冷気入口には、図示はしないがダンパが設けられていて、そのダンパにより切替室１５内に供給される冷気の流量が制御される構成となっている。
【００１３】
冷蔵庫本体１１の下部の後部側には機械室２８が形成されていて、この機械室２８内に、冷凍サイクルのコンプレッサ（圧縮機）２９が配設されていると共に、このコンプレッサ２９及び図示しないコンデンサ（凝縮器）を冷却するための冷却ファン３０が設けられている。
【００１４】
さて、上記野菜室扉１４ａの背面側には、合成樹脂製の下部容器３１が取り付けられていて、この下部容器３１が、野菜室１４内に出し入れ可能に収容されている。下部容器３１は、野菜室扉１４ａの開閉操作に伴い、野菜室１４に対して出し入れされる。この下部容器３１の上部には、合成樹脂製の上部容器３２が後方へスライド可能に支持されている。
【００１５】
このうち、下部容器３１は、図１及び図４にも示すように、上面が開口した矩形の深底容器状をなしていて、野菜やペットボトルなどを収容できる構成となっている。これに対して、上部容器３２は、左右に収容部３３，３４を有した浅底容器状をなしていて、果物などを収容できる構成となっている。この場合、左側の収容部３３（図３及び図４では右側）と右側の収容部３４とでは深さが異なっていて、左側の収容部３３が右側の収容部３４よりも浅くなっている。
【００１６】
下部容器３１の左右の側壁３１ａ，３１ｂの上端部には、前後方向の途中から後部側が低くなる段部３５が形成されている。また、下部容器３１の後部壁３１ｃの上端部には、上記段部３５より下方に位置させて、後方へ向けて張り出すフランジ部３６（図２参照）が形成されている。このフランジ部３６は、上部容器３２の左右の収容部３３，３４の深さ（底面の位置）に合わせて、左部３６ａ（図３及び図４では右側）が右部３６ｂより高くなっている。
【００１７】
そして、フランジ部３６において、左部３６ａ及び右部３６ｂの上面には、下部容器３１の幅方向（左右方向）に延び、かつ上方へ突出する上向きリブ３７（図２参照）が一体に突設されている。また、フランジ部３６の下面側には、下向きの垂下リブ３８が突設されている。この垂下リブ３８のうち、フランジ部３６の左部３６ａと右部３６ｂとの境界部分には、他の部分より大きな平板部３９が形成されている。そして、この平板部３９及び垂下リブ３８に、後方に向けて突出する複数本の補強用リブ４０が形成されている。
【００１８】
上部容器３２の左右両側部には、側方へ張り出す張出し部４１が突設されていて、これら張出し部４１を、下部容器３１の段部３５に載置することにより、上部容器３２が下部容器３１の上部に後方へスライド可能に支持されている。上部容器３２の背面部である収容部３３，３４の後部壁３３ａ，３４ａの下部には、下向きの下向きリブ４２が一体に設けられていて、上部容器３２を下部容器３１にセットした図１に示すセット位置で、図２に示すように各下向きリブ４２の下部が下部容器３１の上記上向きリブ３７に対して後方からラップするようになっている。この場合、上向きリブ３７と下向きリブ４２とは、若干の隙間４３を介して対向している。これら上向きリブ３７と下向きリブ４２とにより、下部容器３１の後部と上部容器３２の後部との間の隙間４３が屈曲した形態となり、これにより、冷気シール構造としている。なお、野菜室１４内の上部には、上部容器３２の上方に位置させて、当該上部容器３２及び下部容器３１を上方から覆うようにカバー４５が配設されている。
【００１９】
ここで、これら上向きリブ３７と下向きリブ４２との冷気シール構造により、下部容器３１内へ冷気が直接入り込むことを極力防止でき、下部容器３１内に収容された野菜などの貯蔵物の水分蒸発量を極力抑えることができる。
ちなみに、本実施例の冷気シール構造と、パッキンを用いた従来の冷気シール構造において、野菜室１４における下部容器３１内及び上部容器３２内の水分蒸発量を比較する試験を行った結果、水分蒸発量については、本実施例構造においても、従来構造とほぼ同等であることが確認できた。
【００２０】
上記した実施例においては、下部容器３１の後上部に一体に設けた上向きリブ３７と、上部容器３２の後下部に一体に設けた下向きリブ４２とをラップさせることにより、これら下部容器３１の後部と上部容器３２の後部との間の隙間４３が屈曲した形態となり、これにより、パッキンを用いずに、冷気シール構造とすることができる。従って、パッキンを別途必要としていた従来構成に比べて、コストを低減できると共に製造性も向上できる。また、それら上向きリブ３７及び下向きリブ４２は、下部容器３１及び上部容器３２に一体に設けるものであるから、パッキンのひれ部とは違い、変形し難く、よって設定されたシール性が低下することも防止できる。
【００２１】
また、上記した実施例においては、下部容器３１の後部のフランジ部３６における左部３６ａと右部３６ｂとの間の境界部部分に、他の部分より大きな平板部３９を形成すると共に、この平板部３９に複数本の補強用リブ４０を形成しているので、フランジ部３６の変形を防止でき、シール性の低下を一層防止できる。
【００２２】
なお、本実施例において、上部容器３２を下部容器３１にセットした図１に示すセット位置で、上部容器３２の下向きリブ４２と下部容器３１の上向きリブ３１との間に隙間４３を形成する構成としているが、それら下向きリブ４２と上向きリブ３７とを接触させて、その隙間４３をなくする構成としても良い。
【００２３】
【発明の効果】
以上の説明から明らかなように、本発明によれば、下部容器の後上部に一体に設けた上向きリブと、上部容器の後下部に一体に設けた下向きリブとをラップさせることにより、これら下部容器の後部と上部容器の後部との間の隙間が屈曲した形態となり、これにより、パッキンを用いずに、冷気シール構造とすることができる。従って、パッキンを別途必要としていた従来構成に比べて、コストを低減できると共に製造性も向上できる。また、それら上向きリブ及び下向きリブは、下部容器及び上部容器に一体に設けるものであるから、パッキンのひれ部とは違い、変形し難く、よって設定されたシール性が低下することも防止できる。
【図面の簡単な説明】
【図１】本発明の一実施例を示すもので、下部容器の上に上部容器を載せた状態での縦断側面図
【図２】主要部の拡大縦断側面図
【図３】下部容器に上部容器を載せた状態での背面図
【図４】下部容器と上部容器の分解斜視図
【図５】冷蔵庫の縦断側面図
【図６】従来例を示す図１相当図
【図７】図２相当図
【符号の説明】
１４は野菜室、３１は下部容器、３２は上部容器、３６はフランジ部、３７は上向きリブ、４２は下向きリブ、４３は隙間を示す。
【図１】
2004353886.tif 000003
【図２】
2004353886.tif 000004
【図３】
2004353886.tif 000005
【図４】
2004353886.tif 000006
【図５】
2004353886.tif 000007
【図６】
2004353886.tif 000008
【図７】
2004353886.tif 000009